(57)【特許請求の範囲】
【請求項１】
ハウジングと、このハウジング内に設けられ、流入口、流出口および弁体を有する水栓本体と、前記流出口から送出可能な水の流量を調整するための流量調整ハンドルと、この流量調整ハンドルの回動操作を前記弁体に伝達するための伝達機構と、前記流出口に接続され、給水ホースの上流端に設けられた継手部材が着脱自在である継手部と、ハウジング外に位置しており、前記流入口と水または湯を供給するための配管とを接続する接続用筒状部とを備え、さらに、前記接続用筒状部と前記配管のハウジング外における接続部分において発生した漏水、ならびに、前記流出口と前記継手部の接続部分において発生した漏水を受ける受皿部分を設け、この受皿部分に溜まった漏水は、下流側に行くほど下方に傾斜して形成された樋状の排出部分から、この排出部分よりも横長に形成された開口を通って外部に排出されるように構成されていることを特徴とする水道用コンセント。
【発明の詳細な説明】
【０００１】
【発明の属する技術分野】
この発明は、浄水器、食器洗い機、湯沸器、洗濯機などの機器の給水ホースへ給水できる水道用コンセントに関する。
【０００２】
【従来の技術】
水道用コンセントとして、図７、図８に示すように、ハウジング８０と、このハウジング８０内に設けられ、流入口８１、流出口８２および弁体８３を有する水栓本体８４と、流出口８２から送出可能な水の流量を調整するための流量調整ハンドル８５と、この流量調整ハンドル８５の回動操作を弁体８３に伝達するための伝達機構８６と、流出口８２に固定されており、例えば洗濯機の給水ホース（図示せず）の上流端に設けられた継手部材（図示せず）が着脱自在である継手部８７とを備えたものがある（例えば、特願２０００−  ７２６９６号明細書、図面参照）。この水道用コンセントは、例えば家屋の内壁Ｗを前面部８９とスライド部材９１で挟み付けた状態で内壁Ｗに形成した取り付け開口９０に取り付けられる。
【０００３】
前記水栓本体８４は、ハウジング８０の底面８０ａに設けた開口８０ｂに挿入固定される取付台８８を介してハウジング８０に固定設置されている。そして、取付台８８に水または湯の配管Ｓが接続される。
【０００４】
【発明が解決しようとする課題】
しかし、上記のような水道用コンセントでは、取付台８８と配管Ｓの接続部分は内壁Ｗの裏側に位置するので、前記接続部分で漏水が発生しても分からなかった。
【０００５】
この発明は上述の事柄に留意してなされたもので、その目的は、配管との接続部分からの漏水を検知できる水道用コンセントを提供することである。
【０００６】
【課題を解決するための手段】
上記目的を達成するために、この発明の水道用コンセントは、ハウジングと、このハウジング内に設けられ、流入口、流出口および弁体を有する水栓本体と、前記流出口から送出可能な水の流量を調整するための流量調整ハンドルと、この流量調整ハンドルの回動操作を前記弁体に伝達するための伝達機構と、前記流出口に接続され、給水ホースの上流端に設けられた継手部材が着脱自在である継手部と、ハウジング外に位置しており、前記流入口と水または湯を供給するための配管とを接続する接続用筒状部とを備え、さらに、前記接続用筒状部と前記配管のハウジング外における接続部分において発生した漏水、ならびに、前記流出口と前記継手部の接続部分において発生した漏水を受ける受皿部分を設け、この受皿部分に溜まった漏水は、下流側に行くほど下方に傾斜して形成された樋状の排出部分から、この排出部分よりも横長に形成された開口を通って外部に排出されるように構成されていることを特徴としている（請求項１）。
【０００７】
【発明の実施の形態】
以下、この発明の実施形態を、図を参照しながら説明する。
図１〜図６は、この発明の一実施形態を示す。
なお、図１〜図６において、図７、図８に示す符号と同一のものは同一または相当物である。
【０００８】
図１〜図６において、水道用コンセントＤの前面部８９は、縦に並んだ正面視がほぼ円形状の二つの開口１，２が形成されている中央部８９ａおよびこの中央部８９ａを保持するための枠体８９ｂよりなる。そして、この前面部８９と、この前面部８９の前記枠体８９ｂが後述する蓋体３１に設けた上部開口３２を介して着脱可能なハウジング本体３とから水道用コンセントＤのほぼ直方体形状のハウジング８０’が構成される。
【０００９】
水栓本体８４の流入口８１に連通する取付台８８’の下部には、配管としての水あるいは湯の供給管１３の下流端１８ａが接続可能な接続用筒状部５０（図６参照）が連設されている。そして、前記水供給管１３の上流端は、屋内に引き込まれた給水主管に接続されている給水用の配管用ヘッダー（図示せず）に接続されている。
【００１０】
水栓本体８４は、ハウジング本体３の底部３ａに設けた切欠５に嵌込まれた取付台８８’を介してハウジング本体３内に固定されており、前記供給管１３からの水あるいは湯が、流入口８１から内部に導入され、流出口８２から継手部８７に送出される構成となっている。
【００１１】
配管としての前記供給管１３は、図５に示すように、例えば水道用架橋ポリブテン管または水道用架橋ポリエチレン管の樹脂パイプ１８を蛇腹状の鞘管１９の内部に収容してなり、樹脂パイプ１８は鞘管１９によって配管経路上にガイドされるとともに保護されている。前記供給管１３はバンド等の固定手段（図示せず）によって配管経路上の適宜の位置に固定されている。樹脂パイプ１８の上流端および鞘管１９の上流端は、それぞれ接続部材で前記ヘッダーに接続されている。
【００１２】
前記接続用筒状部５０は、取付台８８’の下部に形成されており、上述したように、水栓本体８４と供給管１３を接続する。前記筒状部５０は、外周面に雄ねじ５２を有する外管５１と、前記供給管１３による供給流路ｉを前記流入口８１に連通させる流路ｊを形成する内管５３とで構成されている。
【００１３】
内管５３は、外管５１よりも下方に長く突出している。外管５１の下端（先端）は内側に外向きテーパ面ｍを有する。そして、流入口８１と供給管１３の連通時において、樹脂パイプ１８の下流端１８ａを内管５３に外嵌させる。
【００１４】
５４は、外管５１の前記雄ねじ５２に螺着される袋ナットで、この袋ナット５４は雌ねじ５５の下に内向きテーパ面ｎが形成されている。
【００１５】
５６は、金属製の縮径可能な割りリングで、樹脂パイプ１８の下流端１８ａの位置における外周面ａに嵌め込まれ、樹脂パイプ１８の下流端１８ａを内管５３に外嵌させた後外管５１の外向きテーパ面ｍによって下流側への移動を阻止される。すなわち、割りリング５６は、一端に前記テーパ面ｍに当接するテーパ面ｂを有する。また、割りリング５６は、他端に袋ナット５４の前記内向きテーパ面ｎが当接するテーパ面ｃを有する一方、内周面に複数段の環状突起５６ａを有し、これにより、袋ナット５４の締め込みによって樹脂パイプ１８の下流端１８ａを内管５３に強固に固定することができる。
【００１６】
以下、この発明の特徴的構成について説明する。
【００１７】
２０は、鞘管１９の下流端１９ａをハウジング本体３に連結するための鞘管連結部材である。この鞘管連結部材２０は、前記接続用筒状部５０とこれに差し込まれる樹脂パイプ１８の接続部分を収容するようハウジング本体３に底部３ａ側から嵌込まれ係止爪３０によってハウジング本体３に取り付けられる。
【００１８】
２５は、上方開口（取付け開口）２５ａを有する箱状の鞘管連結部材本体で、接続用筒状部５０と樹脂パイプ１８の接続部分を収容する。この鞘管連結部材本体２５は、前面の中央部に切欠２６を有する。
【００１９】
更に、前記鞘管連結部材２０は、接続用筒状部５０と樹脂パイプ１８の接続部分において発生した漏水を受ける受皿部分２１を前記鞘管連結部材本体２５の底部に有し、また、この受皿部分２１の漏水を受皿部分２１の前面側から外側に排出するため外側に行くほど下方に緩やかに傾斜して形成された樋状の排出部分２２を切欠２６の直下に有し、また、後述する鞘管ホルダ２３が着脱可能に装着される正面視逆門型の装着部分２４を受皿部分２１の直下に有する。
【００２０】
また、受皿部分２１はシール部材２７を介して樹脂パイプ１８が嵌挿可能な開口２８を有する。すなわち、シール部材２７を介して樹脂パイプ１８を開口２８に挿通させると、シール部材２７および樹脂パイプ１８の外周面ａ間に隙間はなく、水密状態となるよう構成される。
【００２１】
一方、前記装着部分２４は底面部２４ａの前記開口２８に対応する位置に開口２９を有する。
【００２２】
３１は、ハウジング本体３およびハウジング本体３に取り付けられた鞘管連結部材２０を覆う程度に縦長に形成された板状の蓋体で、前記枠体８９ｂが着脱可能にはめ込まれる大きさの上部開口３２と、前記排出部分２２から排出される漏水を外側に排出するため横長に形成された下部開口３３とを有する。この下部開口３３は、正面視五角形で、下端面Ｔが両端から中央に行くにつれ下降傾斜し中央部が最も低くなる「く」の字型に形成されている。
【００２３】
更に、蓋体３１は、前記下端面Ｔから蓋体３１の背面側に、背面側に行くにつれ上昇傾斜しながら突出した突条の漏水受け部３４を有する。
【００２４】
３５は、前記漏水受け部３４とで漏水を通過させるスリット状の隙間３６ａを残しながら前記下部開口３３を覆うよう取り付けられる正面視五角形の下部開口取付け片である。この下部開口取付け片３５は、上端と両端に、下部開口３３の上端と両端に形成された係合溝３６に係合する係止用突起３７を有する。
【００２５】
したがって、接続用筒状部５０と樹脂パイプ１８の接続部分において発生した漏水は受皿部分２１に溜まり、溜まった漏水は排出部分２２から漏水受け部３４を介して、漏水受け部３４と下部開口取付け片３５とで形成される隙間３６ａを通って外部に排出される。このとき、隙間３６ａから排出される漏水は目視可能である。これにより、接続用筒状部５０と樹脂パイプ１８の接続部分で漏水が発生していることが分かる。
【００２６】
この実施形態では前記装着部分２４を用いて鞘管１９の下流端１９ａを水道用コンセントＤに容易に接続できるように構成してある。以下この構成について説明する。
【００２７】
図３、図５において、２３は、筒状の鞘管ホルダで、前記装着部分２４に着脱可能に装着される。
【００２８】
前記鞘管ホルダ２３は、上流側から下流側に向かって鞘管１９を途中まで押し込めるとともに鞘管１９内の樹脂パイプ１８を挿通させる供給管挿通穴６０を中央に有するとともに、三分割可能に構成されている。
【００２９】
すなわち、鞘管ホルダ２３は、筒状胴部６１と、この上端に形成された上ネジ部６２に螺合する上部リング体６３と、前記胴部６１の下端に形成された下ネジ部６４に螺合する下部リング体６５と、後述する割りリング６６とよりなる。
【００３０】
更に、前記胴部６１は、前記上ネジ部６２と、これより大径の円筒部材６７と、前記下ネジ部６４とよりなる。前記胴部６１は、円筒部材６７と前記下ネジ部６４の間に外向きフランジ６９を有する。前記供給管挿通穴６０の一部を構成する円筒部材６７の貫通穴６７’は、内面上端が、鞘管１９の下流端１９ａを下部リング体６５の貫通穴６５’から押し込んだときに下流端１９ａの先端部分Ｘが当接する環状当接面Ｙを有するよう形成されている。
【００３１】
また、下部リング体６５には、複数の舌片７０が円周に沿う形で等間隔に形成された前記割りリング６６が嵌め込まれている。前記各舌片７０は、径方向で内向き、かつ、上方傾斜した状態で設けられている。
【００３２】
前記各舌片７０は、鞘管１９の下流端１９ａが円筒部材６７の前記貫通穴６７’に押し込まれた後、鞘管１９の溝Ｍに係合して鞘管１９を円筒部材６７内に位置決め固定するとともに、鞘管１９が反対方向に抜けるのを防止する機能を有する。
【００３３】
一方、装着部分２４の前記開口２９は、前記胴部６１の上ネジ部６２が外嵌可能な径を有するとともに、円筒部材６７は上ネジ部６２よりも大径であるので、上ネジ部６２を底面部２４ａの下方側から開口２９に嵌め込んだときに円筒部材６７の上面に開口２９端が当接する。この状態で、上ネジ部６２に上部リング体６３を螺合させることにより、円筒部材６７と上ネジ部６２を底面部２４ａに固定できる。
【００３４】
なお、この発明は、流出口８２と継手部８７との接続部分からの漏水も検知できる利点を有する。
【００３５】
【発明の効果】
この発明では、配管との接続部分からの漏水を検知できる水道用コンセントを提供することができる。
【図面の簡単な説明】
【図１】  この発明の一実施形態を示す全体分解斜視図である。
【図２】  上記実施形態における正面図である。
【図３】  上記実施形態における全体構成説明図である。
【図４】  上記実施形態において、蓋体を外したときの状態を示す正面図である。
【図５】  上記実施形態における配管の取り付け機構を示す要部分解斜視図である。
【図６】  上記実施形態を示す要部分解斜視図である。
【図７】  従来例の取り付け状態を示す構成説明図である。
【図８】  従来例を示す要部分解斜視図である。
【符号の説明】
３…ハウジング本体、３ａ…ハウジングの底部、１８…樹脂パイプ、２０…鞘管連結部材、２１…受皿部分、２２…樋状の排出部分、２４…装着部分、２５…鞘管連結部材本体、３１…蓋体、３３…横長に形成された開口、３４…漏水受け部、３５…下部開口取付け片、５０…接続用筒状部、８０’…ハウジング、８１…流入口、８２…流出口、８３…弁体、８４…水栓本体、８５…流量調整ハンドル、８６…伝達機構、８７…継手部。
【図１】
0004709428.tif 000002
【図２】
0004709428.tif 000003
【図３】
0004709428.tif 000004
【図４】
0004709428.tif 000005
【図５】
0004709428.tif 000006
【図６】
0004709428.tif 000007
【図７】
0004709428.tif 000008
【図８】
0004709428.tif 000009